(57)【要約】【課題】ブラジャーのカップ部のようにモールド加工された部分に模様を付した衣類を提供する。【解決手段】バストなどの身体の所定の部位に沿う形状に加熱成形されている湾曲化部分（モールド加工された部分）を有するボディースーツ１であって、モールド加工されたカップ部１１の表面にシリコン系樹脂による装飾５１が施されているボディースーツ１を提供する。この装飾５１は、モールド加工する前に、モールド加工する箇所を少なくとも含めた範囲に、シリコン系樹脂により装飾模様５１を印刷することにより付加できる。【選択図】図１
0003127167.tif 000002
【実用新案登録請求の範囲】
【請求項１】
身体の所定の部位に沿う形状に加熱成形されている湾曲化部分を有する衣類であって、
前記湾曲化部分の表面にシリコン系樹脂による装飾が施されている衣類。
【請求項２】
請求項１において、前記装飾は、前記湾曲化部分が加熱成形される前に、前記湾曲化部分に対応する箇所を少なくとも含めた範囲に、前記シリコン系樹脂により印刷された装飾の少なくとも一部である、衣類。
【請求項３】
請求項１または２において、前記装飾は、前記シリコン系樹脂により形成された微小な凹凸により形成されている、衣類。
【請求項４】
請求項１ないし３のいずれかにおいて、当該衣類は、ブラジャー、ショーツ、ボディースーツ、ガードルから選ばれたものである、衣類。
【考案の詳細な説明】
【技術分野】
【０００１】
本考案は、身体の所定の部位に沿うように加熱成形された部分を有する衣類に関するものである。
【背景技術】
【０００２】
ボディーライン全体を美しく見せるボディースーツや、乳房の形を美しく見せるためのブラジャー、臀部を含めた下半身を美しく見せるためのガードル等の衣類が市販されている。
【０００３】
特許文献１には、ブラジャーのカップ部を、伸縮性、整形力、保持力及び復元力を有する編地をモールド加工成形することが記載されている。また、モールド加工成形により、シームレスカップ部が提供されるので、薄手の衣類を着用した場合にも、外観に影響を与えないことが記載されている。
【０００４】
特許文献２には、ダブルニット編地からなるカップ部をバストに沿う形状に熱処理（２００℃〜２３０℃で３０〜６０秒程度加熱）することが記載されている。この場合、表編地の表糸、裏編地の裏糸、連結糸の９０％以上にポリエステル糸を用いることにより、加熱成形でバストに沿う形状とすることが記載されている。また、表糸としてブライト糸を用いることにより装飾機能を高められることが記載されている。
【０００５】
特許文献３および４には、靴下の滑止剤を塗布する際に、シリコン系樹脂などをスクリーン印刷により塗布することが記載されている。
【特許文献１】特開平１１−１２８０９号公報
【特許文献２】特開２００３−１４７６０７号公報
【特許文献３】実用新案登録第３１０９３９３号公報
【特許文献４】特開２００６−７７３４５号公報
【考案の開示】
【考案が解決しようとする課題】
【０００６】
バストあるいはヒップの形状に合わせて編地を熱加工して成形する工程はモールド工程と称されている。ブラジャーのカップ部分をモールド加工により立体的な丸みを持たせたものはシームレスカップ（モールディッドカップ）と称されている。モールド加工されたカップは、ハギやダーツが表面に出ないので、つるんとしたシルエットになり、薄い生地の服を着るときの下着として適している。
【０００７】
その一方で、シームレスカップであっても、装飾性が要求されるケースは多く、その場合は、模様が編みこまれた布地が用いられたり、装飾性の糸を用いた布地が用いられている。レース、複数の生地の合わせなどによる装飾（模様）は、上着（アウター）に表れるので、シームレスカップを選択する意味が薄れてしまう。したがって、シームレスカップに設けられる装飾は、主に色の異なる模様によるものである。薄い布地の服を上着として着用するときに、色あるいは模様が透けて見えることを考慮すると、装飾に用いることができる色も限定されてしまう。また、シームレスカップの表面の装飾は、編地の模様および／または色に限定されてしまうので、多様なもの、個性的なものなどを低コストで提供することは難しい。
【課題を解決するための手段】
【０００８】
本考案の一態様は、身体の所定の部位に沿う形状に加熱成形されている湾曲化部分を有する衣類であって、湾曲化部分の表面にシリコン系樹脂による装飾が施されている衣類である。
【０００９】
この装飾（柄、模様を含む）は、湾曲化部分が加熱成形される前に、湾曲化部分に対応する箇所にシリコン系樹脂を印刷、例えばスクリーン印刷することにより形成できる。したがって、湾曲化部分の装飾は、湾曲化部分に限定されたものであっても良く、衣類の他の部分を含めた装飾の一部であっても良い。すなわち、本考案の衣類は、上記の装飾が、湾曲化部分が加熱成形される前に、湾曲化部分に対応する箇所を少なくとも含めた範囲に、シリコン系樹脂により印刷された装飾の少なくとも一部であるものを含む。
【００１０】
シリコン系樹脂を衣類の表面に塗布することにより、微小な、例えば厚さ数１００μｍ前後あるいはそれ以下の凹凸を形成することができ、その凹凸により模様を形成することができる。したがって、装飾を構成するシリコン系樹脂は色付きの樹脂であっても良いが、透明なあるいは衣類の生地と同色系統の樹脂であっても良く、色模様ではない装飾を施すことが可能となる。
【００１１】
モールド加工された湾曲化部分は、身体の部位にフィットさせることにより着心地を改善したり、身体の部位あるいは体形を補正するために有効である。したがって、湾曲化部分を有する衣類は、下着、特に女性用の下着として好適である。女性用の下着は、ブラジャー、ショーツ、ボディースーツおよびガードルから選ばれたものを含む。
【考案を実施するための最良の形態】
【００１２】
図１および図２に、シリコン樹脂による装飾の施されたボディースーツを示している。ボディースーツ１は、ブラジャーとしての機能を含む領域（ブラジャー領域）１０と、ガードル（ショーツ）としての機能を含む領域（ガードル領域）２０と、それらの領域１０および２０を接続し、さらに、ウエストの部分を補正あるいはサポートするウエストニッパーと称される領域（ウエスト領域）３０とを含んでいる。図１は、ボディースーツ１を前方から見た様子を示しており、ボディースーツ１の前方（フロントスタイル）２には、ブラジャー領域１０と、ウエスト領域３０と、ガードル領域２０とにわたり一体感のある模様（柄、パターン）５１が装飾としてシリコン樹脂により形成されている。図２は、ボディースーツ１を後側から見た様子を示しており、ボディースーツ１の後方（バックススタイル）３には、ガードル領域２０に、模様５２がシリコン樹脂により形成されている。
【００１３】
図３および図４に、参考のために模様が施されていないボディースーツ９のフロントスタイル２と、バックスタイル３とをそれぞれ示している。これらのボディースーツ１または９において、バストを覆うブラジャー領域１０のカップの部分（カップ部）１１と、ガードル領域２０のヒップトップを覆う部分３１とにモールド加工が施されている。
【００１４】
図５に、ボディースーツ１または９の、カップ部１１の断面を示している。ブラジャー領域１０のカップ部１１は、バスト５を覆い、丸みをおびたバスト５の形状を美しく見せる機能を含んでいる。カップ部１１は、バスト５に接する裏布１５と、表側の表生地１６と、裏布１５および表生地１６との間に保持されたパッド１７とを含む。パッド１７は例えば、ウレタン製あるいはエステル不織布製であり、丸みをおびた形状に成形されているものである。表生地１６は、ポリエステル繊維、ナイロン繊維などの熱可塑性合成繊維を主とする編地で構成されており、バスト５の形状に合わせてドーム型に湾曲になるように加熱成形することができる。表生地１６を加熱成形することにより、縫い目、はぎなどが現れない状態で、立体的な形状のパッド１７を覆うことができる。この加熱成形する工程は、モールド工程（モールド加工）と呼ばれ、生地を所定の形状の型に当てて、または挟んで１８０℃から２００℃前後の温度を１分前後から数分程度加えることにより生地を湾曲化する。
【００１５】
図６に、ガードル領域２０のヒップトップを覆う部分（ヒップトップ部）３１の断面を示している。このヒップトップ部３１は、臀部６を、丸みをおびた形状にサポートする機能を備えており、ヒップトップ部３１を構成する生地３５がカップ部１１の表生地１６と同様にモールド加工されている。ヒップトップ部３１には、通常、パッドなどの自律的に形状を制御する部材は設けられておらず、生地３５が立体的な形状に成形されているだけである。
【００１６】
図１および図２に示したボディースーツ１においては、カップ部１１およびヒップトップ部３１をモールド加工する前に、カップ部１１の表生地１６およびヒップトップ部３１の生地３５の表面に、シリコン樹脂を、スクリーン印刷方法を用いて塗布し、模様５１および５２を印刷する。この印刷工程の後、モールド工程を行う。モールド工程では、表生地１６および生地３５を、それぞれ、所望の形状の型に押し当てて加熱成形し、所望の形状に成形する。シリコン樹脂を用いた印刷工程と、加熱加工するモールド工程とを備えた製造方法により、ボディースーツ１のモールド加工された部分、すなわち、湾曲化部分、であるカップ部１１およびヒップトップ部３１に総力模様５１および５２をそれぞれ備えたボディースーツ１を提供できる。
【００１７】
カップ部１１においては、バスト５を支持するためのワイヤー１９を縫い込んだり、パッド１７を入れる。このため、表生地１６をボディースーツ１に一体化する前に、カップ部１１の表生地１６に印刷工程およびモールド工程を施すことが望ましい。ヒップトップ部３１については、他の生地と縫い合わせる前に印刷工程を行い、縫い合わせた後にモールド工程を施すことが望ましい。これらの領域において、印刷工程およびモールド工程を施しても良い。他の生地と縫い合わせた前後のいずれの状態で印刷工程を行なっても他の生地あるいは他の領域と繋がった模様５１または５２を容易に印刷できる。
【００１８】
樹脂により衣類に模様を付す場合は、着心地の良さ、耐久性、安全性などを考慮する必要がある。特に、肌に直接触れる機会の多い下着、スポーツウェア、水着などにおいては、着心地の良さ、耐久性の点から、ある程度の弾性を備えた樹脂を用いて模様を付すことが望ましい。そのような樹脂の例としては、アクリル系ゴム、ウレタン系ゴムがある。また、模様を付すコストを考慮すると、スクリーン印刷などの印刷技法あるいはプリンタを用いて模様を印刷することが望ましい。
【００１９】
ボディースーツ、ブラジャー、ガードルなどの下着において、モールド加工は、縫い目や合わせ目が目立たないシームレスで、かつ、立体的な形状を得るために用いられている。したがって、モールド加工した部分は、表面が滑らかであることが前提となっていた。これに対し、本実施形態に含まれるボディースーツ１は、モールド加工により立体的に加工された部分に、微小な凹凸を伴う装飾（模様）５１および５２を設け、シームレスな下着であって、薄い上着（アウター）を装着したときに、下着の縫い目などが出ないというメリットを活かしながら、シームレスな下着自体にもユーザの好みに合った模様あるいは装飾を付すことを目指した新しいコンセプトに基づくものである。
【００２０】
モールド加工された部分は、立体的に湾曲化されているので、スクリーン印刷、プリンタによる印刷などの量産化が可能な方法では、樹脂により所望の模様を塗布することは不可能である。モールド加工する前にスクリーン印刷などにより所望の模様を印刷することは可能であるが、モールド加工する際は、１８０℃程度以上の温度が加えられる。ゴム系樹脂の耐熱安全温度（耐熱限界温度）は、アクリル系ゴムで１４０℃（１６０℃）程度、ウレタン系ゴムで７０℃（１００℃）程度であり、モールド加工に耐えられない。これに対し、シリコン系ゴムの耐熱安全温度（耐熱限界温度）は、１８０℃（２３０℃）程度であり、モールド加工の際に加えられる熱に耐えることができる。したがって、印刷工程においてシリコン系ゴムにより所望の模様を印刷し、その後、モールド工程を行なうことにより、モールド加工により湾曲化された生地の表面に所望の模様を低コストで付すことが可能となる。
【００２１】
シリコン系樹脂は、モールド加工される部分に限らず、ボディースーツ１のどの面にも印刷することが可能であり、十分な伸縮性を備えているので、着心地の良い下着を提供できる。したがって、モールド加工された部分１１または３１に限定されることなく、ボディースーツ１の他の部分と連続した、一体感のある装飾５１および５２をモールド加工された部分１１および３１のそれぞれに設けることができる。
【００２２】
刺繍や、布を重ねた装飾に比較すると、シリコン系樹脂により生成された装飾は印刷を用いて生成できるので低コストである。さらに、刺繍などと比較すると、シリコン系樹脂は、それ自体、弾性があり、生地の表面に数１００μｍ前後あるいはそれ以下の厚みで塗布できるので、生地の弾性あるいは柔らかさを維持でき、着心地の良い衣類を提供できる。さらに、下着において、モールド加工され、シームレスな部分であることを要求されるカップ部１１あるいはヒップトップ部３１であっても、数１００μｍ程度、さらにはそれ以下の厚さの凹凸で模様あるいは装飾を付加することにより、アウターの表面への影響がほとんど見られない、装飾付きの下着を提供することが可能となる。
【００２３】
また、シリコン系樹脂の弾性を積極的に利用することにより、衣類の中に弾性の異なる部分あるいは領域を容易に作ることが可能となる。ボディースーツ１において、ガードル領域２０の腹の部分、ウエスト領域３０の脇の部分などに適度な弾性を加えることにより、ボディーラインを整え、美しいシルエットが得られる下着を提供できる。このため、ボディースーツ１においては、ブラジャー領域１０の模様５１と一体感のある模様５３を、シリコン系樹脂によりガードル領域２０のフロントスタイルに設け、ガードル領域２０の腹の部分の弾性を強化している。シリコン系樹脂の模様５３により得ようとする弾性は、シリコン系樹脂の厚み、塗布密度、模様の形状などにより調整できる。
【００２４】
図７に、カップ部１１の表面に付された模様５１を拡大して示している。この模様５１は、生地１６の表面に印刷により形成されたシリコン樹脂製の、直径が２〜３ｍｍ程度で、厚さが２００〜５００μｍ程度の点（凸部）５５の集合により構成されている。シリコン樹脂は、ほぼ透明であるが、顔料などを加えることにより容易に色を付けることができる。また、凸部５５が透明なシリコン樹脂で印刷されていても、凸部５５は、マイクロレンズ状に印刷されているので、生地１６の表面とは異なった趣で光を反射する。このため、薄く、小さな凸部５５であっても十分に着目され、存在感のある装飾模様５１を形成することができる。さらに、本例では、凸部５５が、微小な金属箔５７が混入されたシリコン樹脂により形成されており、さらに複雑で趣きのある光を反射する。
【００２５】
シリコン樹脂はスクリーン印刷などの方法により、種々のパターンを描くように印刷でき、また、印刷する厚みの制御も容易である。したがって、上記のような点の集合による模様は一例に過ぎず、直線、曲線、多角形、メッシュ、豹柄、ゼブラ柄などを含むさまざまな要素および模様を、モールド加工された部分を含めて衣類の表面に付すことができる。
【００２６】
また、上記では、ブラジャー、ガードルなどの機能を備えたボディースーツに装飾を付した例を示しているが、ブラジャー、ショーツおよびガードルなどの下着においても、モールド加工された部分に所望の装飾が付されたものを提供することが可能である。
【図面の簡単な説明】
【００２７】
【図１】装飾が付されたボディースーツのフロントスタイルを示す図。
【図２】装飾が付されたボディースーツのバックスタイルを示す図。
【図３】装飾が付されていないボディースーツのフロントスタイルを示す図。
【図４】装飾が付されていないボディースーツのバックスタイルを示す図。
【図５】カップ部の構成を拡大して示す断面図。
【図６】ヒップトップ部の構成を拡大して示す断面図。
【図７】カップ部の模様を拡大して示す図。
【符号の説明】
【００２８】
１，９    ボディースーツ、
１０    ブラジャー領域、  １１    カップ部
２０    ガードル領域、  ３０    ウエスト領域、  ３１    ヒップトップ部
５１、５２、５３    シリコン樹脂による装飾模様
【図１】
0003127167.tif 000003
【図２】
0003127167.tif 000004
【図３】
0003127167.tif 000005
【図４】
0003127167.tif 000006
【図５】
0003127167.tif 000007
【図６】
0003127167.tif 000008
【図７】
0003127167.tif 000009